(57)【要約】【課題】ドア上小壁の取付け作業を容易にし、また、壁パネル裏側に間仕切り壁等が設置されても、一担取付けたドア上小壁を取り外すことが容易なドア上小壁の取付構造を提供する。【解決手段】壁パネル４、５で挟まれたドア枠２の上方に、ドア上小壁３を設け、そのドア上小壁３の上端と壁パネル４，５の上端とに天井パネル９を取付けて構成されたユニットルームにおいて、上記ドア上小壁３は、その両側端に、底片７１と立ち上がり片７２とで構成された一対のＬ字型固定具７を介在させて上記ドア枠２と上記壁パネル４、５で囲まれた空間に設置されるようにした取り付け構造であって、上記ドア上小壁３は、その下端と上記Ｌ字型固定具７の底片７１とを、嵌合手段３１、７３で固定し、かつ上記Ｌ字型固定具７の上記立ち上がり片７２を直接上記壁パネル４に取り付ける構造にする。【選択図】図１
2006266001.tif 000002
【特許請求の範囲】
【請求項１】
壁パネルで挟まれたドア枠の上方に、ドア上小壁を設け、そのドア上小壁の上端と壁パネルの上端とに天井パネルを取付けて構成されたユニットルームにおいて、上記ドア上小壁は、その両側端に、底片と立ち上がり片とで構成された一対のＬ字型固定具を介在させて上記ドア枠と上記壁パネルで囲まれた空間に設置されるようにした取り付け構造であって、
上記ドア上小壁は、その下端と上記Ｌ字型固定具の底片とを、嵌合手段で固定し、かつ上記Ｌ字型固定具の上記立ち上がり片を直接上記壁パネルに取り付けるようにしたユニットルームの上小壁の取付構造。
【請求項２】
請求項１において、
上記嵌合手段は、上記ドア上小壁の下端、上記Ｌ字型固定具の底片のいずれか一方に突起部を設け、かつ他方にはその突起部を嵌入させる穴部を形成して構成されていることを特徴とするユニットルームの上小壁の取付構造。
【請求項３】
請求項１または２において、
上記Ｌ字型固定具は、上記ドア枠を固定連結するドアジョイナーに固着される構造にしているユニットルームの上小壁の取付構造。
【請求項４】
壁パネルで挟まれたドア枠の上方に、ドア上小壁を設け、そのドア上小壁の上端と壁パネルの上端とに天井パネルを取付けて構成されたユニットルームにおいて、上記ドア上小壁は、上記ドア枠と上記壁パネルで囲まれた空間に設置されるようにした取り付け構造であって、
上記ドア上小壁は、その下端と、上記ドア枠の上端とを嵌合手段で固定される構造にしているユニットルームの上小壁の取付構造。
【発明の詳細な説明】
【技術分野】
【０００１】
本発明は、ユニットルームのドア上小壁の取付構造に関し、詳しくは、ユニットルームにおける壁パネルで挟まれたドア枠の上方に、ドア上小壁を簡易に取付けるためのユニットルームのドア上小壁の取付構造に関する。
【背景技術】
【０００２】
一般に、ユニットルームの出入口であるドア本体の上方には、壁パネルで挟まれたドア枠上にドア上小壁を取付けている。
【０００３】
このドア上小壁の取付構造には、例えば、工場出荷時にドア上小壁をドア枠の上面に載置させ、両者をネジで固定した一体構造のものもあるが、一般には、ユニットルーム等を設置する施工現場において、壁パネルに挟まれて設置されたドア枠の上方にドア上小壁を載置して固定される。
【０００４】
具体的には、ドア本体がユニットルーム等のコーナー部に設置される場合には、ドア本体に直交して隣接される壁パネルの側端面に断面Ｌ形のドアジョイナーを固定しておき、この固定したドアジョイナーにネジを貫通させて、壁パネルとドア枠とを固定連結する。
【０００５】
そして、この固定連結されたドア枠の上に、箱状のドア上小壁を載置すると共に、複数のネジを壁パネル裏側からドアジョイナーを通じてドア上小壁の側面に螺着して、ドア上小壁をドアジョイナーに固定した後、ドア上小壁の上端を天井パネルに連結ネジ等で固定して取付ける構造にしている（例えば、特許文献１参照。）。
【特許文献１】特開平７−４１３９号
【発明の開示】
【発明が解決しようとする課題】
【０００６】
このように、従来は、ネジを用いてドア上小壁をドアジョイナー、天井パネルに直接螺合して固定する構造のものであった。
【０００７】
しかしながら、この構造では、壁パネル裏側のスペースが狭小な場合には、壁パネル側からネジの締付け作業が難しいだけでなく、例えば、ドア上小壁を設置後、パネル壁裏側に間仕切り壁等が設置された場合には、一担取付けたドア上小壁を取り外しできないという問題もあった。
【０００８】
本発明は、かかる課題を解決することを目的とするもので、ドア上小壁の取付け作業を容易にし、また、壁パネル裏側に間仕切り壁等が設置されても、一担取付けたドア上小壁を容易に取り外すことが可能なユニットルームのドア上小壁の取付構造を提供する。
【課題を解決するための手段】
【０００９】
上記目的を達成するため、
請求項１に係るユニットルームのドア上小壁の取付構造は、壁パネルで挟まれたドア枠の上方に、ドア上小壁を設け、そのドア上小壁の上端と壁パネルの上端とに天井パネルを取付けて構成されたユニットルームにおいて、上記ドア上小壁は、その両側端に、底片と立ち上がり片とで構成された一対のＬ字型固定具を介在させて上記ドア枠と上記壁パネルで囲まれた空間に設置されるようにした取り付け構造であって、上記ドア上小壁は、その下端と上記Ｌ字型固定具の底片とを、嵌合手段で固定し、かつ上記Ｌ字型固定具の上記立ち上がり片を直接上記壁パネルに取り付ける構造にしている。
【００１０】
請求項２に係るユニットルームのドア上小壁の取付構造は、請求項１において、上記嵌合手段は、上記ドア上小壁の下端、上記Ｌ字型固定具の底片のいずれか一方に突起部を設け、かつ他方にはその突起部を嵌入させる穴部を形成して構成されている。
【００１１】
請求項３に係るユニットルームのドア上小壁の取付構造は、請求項１または２において、  上記Ｌ字型固定具は、上記ドア枠を固定連結するドアジョイナーに固着される構造にしている。
【００１２】
請求項４に係るユニットルームのドア上小壁の取付構造は、壁パネルで挟まれたドア枠の上方に、ドア上小壁を設け、そのドア上小壁の上端と壁パネルの上端とに天井パネルを取付けて構成されたユニットルームにおいて、上記ドア上小壁は、上記ドア枠と上記壁パネルで囲まれた空間に設置されるようにした取り付け構造であって、上記ドア上小壁は、その下端と、上記ドア枠の上端とを嵌合手段で固定される構造にしている。
【発明の効果】
【００１３】
本発明によれば、次のような効果がある。
請求項１、２に係るユニットルームのドア上小壁の取付構造によれば、Ｌ字型固定具の立ち上がり片をネジ等で直接壁パネルに固定しておけば、この固定したＬ型固定具の底片と、ドア上小壁の下端とを、嵌合手段で嵌合されて、ドア枠上に固定できるので、ドア上小壁に直接ネジを螺合して固定する必要がなく、壁パネル裏側のスペースが狭小な場合であっても、嵌合手段を嵌合するだけで、ドア上小壁をドア枠の上に容易に取付けできる。
【００１４】
また、ドア上小壁の側端にネジによる孔を形成しないので、孔部分の塗装が剥がれて傷付いたり、錆を生じさせることもない。
【００１５】
また、ドア上小壁を設置後、壁パネル裏側に間仕切り壁等が設置された場合でも、ドア上小壁の下端とＬ型固定具の底片との嵌合を外せば、一担取付けたドア上小壁を取り外すことも容易にできる。
【００１６】
請求項３に係るユニットルームのドア上小壁の取付構造によれば、請求項１または２におけるＬ字型固定具が、壁パネルに固定されたドアジョイナーに固着される構造にしているので、ユニットルームのコーナー部にドア上小壁が設置される場合であっても、ドア上小壁に直接ネジを螺合して固定する必要がなく、壁パネル裏側のスペースが狭小な場合であっても、嵌合手段を嵌合するだけで、ドア上小壁をドア枠の上位に容易に取付けできる。
【００１７】
また、ドア上小壁を設置後、壁パネル裏側に間仕切り壁等が設置された場合でも、ドア上小壁の下端とＬ型固定具の底片との嵌合を外せば、一担取付けたドア上小壁を取り外すことも容易にできる。
【００１８】
請求項４に係るユニットルームのドア上小壁の取付構造によれば、ドア上小壁の下端と、ドア枠の上端とを、嵌合手段で嵌合される構造にしているので、Ｌ型固定具を用いないので、一層構造が簡易である。
【発明を実施するための最良の形態】
【００１９】
以下、本発明に係るドア上小壁の取付構造を図面とともに説明する。
【実施例１】
【００２０】
図１は、本発明に係るユニットルームのドア上小壁の取付構造Ａの一実施例を示す分解斜視図である。
【００２１】
この図では、ユニットバスルームにおけるコーナー部のドア本体１を包囲するドア枠２の上に箱状のドア上小壁３を取付ける構造を例示している。
【００２２】
ドア上小壁３は、板金を折曲加工して形成され、箱状本体３０の下面に穴部３１、３１を形成し、上面には取付孔３２ａを形成した天井取付片３２を形成している。更に、下面には、固定具７の厚みに応じた膨出部３３を形成しており、ドア枠２の上面に載置したときに、隙間が生じないようにしている。
【００２３】
ドア本体１がユニットバスルームのコーナー部に設置される場合には、図１で示すように、ドア本体１を包囲するドア枠２の一側面２１が、ドア本体１面と直交して隣設された壁パネル４に固定され、ドア枠２の他側面２２が、ドア本体１面と同一面に隣設された壁パネル５に各々ネジ（不図示）等で固定される。
【００２４】
また、ドア枠２に直交して隣接された壁パネル４は、その壁面に直接ネジを固着すれば当該壁面を傷付けてしまうため、壁パネル４の側端面に断面Ｌ形のドアジョイナー６を予め取付けておき、このドアジョイナー６の一片６１に形成された複数の取付孔６２に壁パネル４の裏側からネジ（不図示）を貫通させて、壁パネル５とドア枠２とを固定連結している。
【００２５】
そして、このように壁パネル４、５で挟まれて固定連結したドア枠２の上に、ドア上小壁３が、以下の施工要領で取付けられている。なお、図２は、コーナー部の連結構造を示す部分平面図である。
【００２６】
以下、詳説する、図中７は、帯板を折曲形成して、底片７１と立ち上がり片７２とで構成された一対のＬ字型固定具７である。
なお、一対のＬ字型固定具７には、底片７１、７１同士が連結したものであっても良い。
【００２７】
底片７１には、上方に向けて柱状の突起部７３、７３を各々立設され、ドア上小壁３の下端面には、この突起部７３を嵌入させる穴部３１、３１を形成している。
【００２８】
立ち上がり片７２には、ドアジョイナー６の取付孔６２に対応する位置にネジ８を取付けるネジ孔７４を開設している。
【００２９】
また、本実施例では、底片７１に突起部７１を形成すると共に、これに嵌入する穴部３１をドア上小壁３の下端面に形成したものを示しているが、図５に示すように、突起部７１がドア上小壁３の下端面に形成され、穴部３１が底片７１に形成された逆の構造であっても構わない。
【００３０】
いずれの実施例の場合も、ドア上小壁３やＬ字型固定具７は、板金を切断加工する他、樹脂成型品で形成しても良い。
【００３１】
図３及び図４は、本発明に係るドア上小壁の取付構造Ａの施工例を示した要部の拡大概略縦断図である。
【００３２】
以下、図１〜図４に基いて、本発明に係るドア上小壁３の取付構造Ａを説明する。
【００３３】
前述の通り、ドア本体１がユニットバスルームのコーナー部に設置される場合には、ドア本体１を包囲するドア枠２の一側面２１が、ドアジョイナー６の一片６１にネジＮで固定されて、壁パネル５とドア枠２とを固定連結する〔図３（ａ）参照。〕。
【００３４】
次に、Ｌ字型固定具７を、ドア上小壁３の両側端に介在させて、ドア枠２と壁パネル４、５で囲まれた空間に設置するのであるが、具体的には、Ｌ字型固定具７の底片７１を各々内側に向けてドア枠２の上面に載置すると共に、立ち上がり片７２を壁パネル４、５に添接し、この立ち上がり片７２のネジ孔７４に向けて壁パネル４の表側からネジ８をドアジョイナー６の取付孔６２に螺着することで、立ち上がり片７２を直接壁パネル４に取り付ける〔図３（ｂ）参照〕。
【００３５】
そして、この固定したＬ字型固定具７の底片７１に立設された突起部７３に向けて、ドア上小壁３の下端面に形成した穴部３１を嵌入すると、ドア上小壁３がドア枠２の上面に位置決めされて、容易に取付けできる〔図４（ｃ）、（ｄ）参照。〕。
【００３６】
そして、最後に、取付けたドア上小壁３の上端を、従来同様にして天井パネル９に連結ネジ１０等で固定して取付けを完了する〔図１参照。〕。
【実施例２】
【００３７】
図６は、本発明に係るユニットルームのドア上小壁の取付構造Ａの他の実施例を示す分解斜視図である。
【００３８】
なお、図１〜図５と共通する部位には、同一の番号を付し、その説明は省略する。
【００３９】
このドア上小壁３の取付構造Ａでは、ドア上小壁３の下端と、ドア枠２の上端とが直接嵌合手段で固定される構造にしている。
【００４０】
ここでは、上記嵌合手段として、ドア枠２の上端面両側に、上方に向けて柱状の突起部７３’、７３’を立設すると共に、ドア上小壁３の下端面には、これら突起部７３’、７３’を嵌入させる穴部３１、３１を形成している。
【００４１】
そして、上記同様にして、壁パネル４、５とドア枠２とを固定連結したうえで、この固定されたドア枠２に立設された突起部７３’に向けて、ドア上小壁３の下端面に形成した穴部３１を嵌入すると、ドア上小壁３がドア枠２の上位に位置決めされて、更に容易に取付けできる。
【００４２】
そして、この取付けたドア上小壁３の天井取付片３２の取付孔３２ａに、上記と同様にして連結ネジ１０等を挿入して、天井パネル９に固着して取付けを完了する〔図１、図３（ｄ）参照〕。
【００４３】
この構造によれば、Ｌ型固定具を用いないので、一層構造が簡易である。
【図面の簡単な説明】
【００４４】
【図１】本発明に係るユニットルームのドア上小壁の取付構造Ａの一実施例を示す分解斜視図である。
【図２】図１で示したユニットルームのコーナー部の連結構造を示す部分平面図である。
【図３】ドア上小壁の取付構造Ａの施工例を示した要部の拡大概略縦断図（施工前半）である。
【図４】ドア上小壁の取付構造Ａの施工例を示した要部の拡大概略縦断図（施工後半）である。
【図５】図１で示した突起部と穴部とが、逆に形成された他の構造の拡大概略縦断図である。
【図６】本発明に係るユニットルームのドア上小壁の取付構造Ａの他の実施例を示す分解斜視図である。
【符号の説明】
【００４５】
Ａ      ユニットルームのドア上小壁の取付構造
１      ドア本体
２      ドア枠
３      ドア上小壁
３１    穴部（嵌合手段）
４      壁パネル
５      壁パネル
６      ドアジョイナー
７      Ｌ字型固定具
７１    底片
７２    立ち上がり片
７３    突起部（嵌合手段）
８      ネジ
９      天井パネル
【図１】
2006266001.tif 000003
【図２】
2006266001.tif 000004
【図３】
2006266001.tif 000005
【図４】
2006266001.tif 000006
【図５】
2006266001.tif 000007
【図６】
2006266001.tif 000008